【手続補正書】
【提出日】平成15年12月8日(2003.12.8)
【手続補正１】
【補正対象書類名】明細書
【補正対象項目名】特許請求の範囲
【補正方法】変更
【補正の内容】
【特許請求の範囲】
【請求項１】
ポーリング受信機によって指定されたポーリング送信情報を送信するセレクティブポーリング送信可能な通信装置において、
自動着信端末において自動着信時に、初期識別信号中でＳＥＰ信号の受信機能の有無を、上記ポーリング受信機側に通知する通知手段と；
ポーリング送信情報を格納するメモリと；
上記メモリ内にポーリング送信情報があるか否かを判断する判断手段と；
を有し、上記ポーリング受信機から受信したＳＥＰ信号によって指定されたポーリング送信情報が、上記メモリにないことを、上記判断手段が判断した場合、ＳＥＰ信号の受信機能がないことを、上記ポーリング受信機に上記通知手段が通知することを特徴とする通信装置。
【請求項２】
ポーリング受信機によって指定されたポーリング送信情報を送信するセレクティブポーリング送信可能な通信装置において、
自動着信端末において自動着信時に、初期識別信号中でＳＥＰ信号の受信機能の有無を、上記ポーリング受信機側に通知する通知手段と；
ポーリング送信情報を格納するメモリと；
上記メモリ内にポーリング送信情報があるか否かを判断する判断手段と；
を有し、ポーリング送信情報が上記メモリにないことを上記判断手段が判断した場合、通知するＳＥＰ信号の受信機能がないことを上記ポーリング受信機に、上記通知手段が通知し、
一方、ポーリング送信情報が上記メモリに少なくとも１つあることを上記判断手段が判断した場合、上記通知手段によって通知するＳＥＰ信号の受信機能があることを上記ポーリング受信機に、上記通信手段が通知する通信装置であって、
ＳＥＰ信号の受信機能があることを上記ポーリング受信機に、上記通知手段が通知した後に、上記ポーリング受信機から受信したＳＥＰ信号によって指定されたポーリング送信情報がない場合には、ＳＥＰ信号の受信機能がないことを、上記ポーリング受信機に再通知することを特徴とする通信装置。
【請求項３】
請求項1または２において、
ＳＥＰ受信機能なしの初期識別信号を受信したポーリング受信端末において、その旨を表示することを特徴とする通信装置。
【請求項４】
請求項１〜請求項３のいずれか１項において、
上記メモリは、メモリボックスであり、
上記判断手段は、上記受信したＳＥＰ信号と、上記メモリボックスに対応して予め登録されたＳＥＰ信号とを比較し、この比較結果に応じて、ＳＥＰ機能の有無を宣言することを特徴とする通信装置。
【請求項５】
ポーリング受信機によって指定されたポーリング送信情報を送信するセレクティブポーリング送信可能な通信装置における制御方法において、
自動着信端末において自動着信時に、初期識別信号中でＳＥＰ信号の受信機能の有無を上記ポーリング受信機側に通知する通知工程と；
ポーリング送信情報を格納するメモリに蓄積させる蓄積工程と；
上記メモリ内にポーリング送信情報があるか否かを判断する判断工程と；
を有し、上記ポーリング受信機から受信したＳＥＰ信号によって指定されたポーリング送信情報が上記メモリにないことを、上記判断工程で判断された場合、上記通信工程で、ＳＥＰ信号の受信機能がないことを、上記ポーリング受信機に通知することを特徴とする通信装置の制御方法。
【請求項６】
ポーリング受信機よって指定されたポーリング送信情報を送信するセレクティブポーリング送信可能な通信装置における制御方法において、
自動着信端末において自動着信時に、初期識別信号中でＳＥＰ信号の受信機能の有無を上記ポーリング受信機側に通知する通知工程と；
ポーリング送信情報を格納するメモリに蓄積させる蓄積工程と；
上記メモリ内にポーリング送信情報があるか否か判断する判断工程と；
を有し、上記判断工程によってポーリング送信情報が上記メモリにない場合、上記通知工程で、ＳＥＰ信号の受信機能がないことを、上記ポーリング受信機に、通知し、
一方、上記判断工程で、ポーリング送信情報が上記メモリに少なくとも１つあることが判断された場合、上記通知工程で、ＳＥＰ信号の受信機能があることを上記ポーリング受信機に通知する通信装置の制御方法であって、
上記通知工程で、ＳＥＰ信号の受信機能があることを、上記ポーリング受信機に通知した後に、上記ポーリング受信機から受信したＳＥＰ信号によって指定されたポーリング送信情報がない場合には、ＳＥＰ信号の受信機能がないことを、上記ポーリング受信機に再通知することを特徴とする通信装置の制御方法。
【請求項７】
請求項５または６において、
ＳＥＰ受信機能なしの初期識別信号を受信したポーリング受信端末において、その旨を表示することを特徴とする通信装置の制御方法。
【請求項８】
請求項５〜請求項７のいずれか１項において、
上記メモリはメモリボックスであり、
上記判断工程は、上記受信したＳＥＰ信号と、上記メモリボックスに対応して予め登録されたＳＥＰ信号とを比較し、この比較結果に応じてＳＥＰ機能の有無を宣言することを特徴とする通信装置の制御方法。
【請求項９】
ポーリング受信機よって指定されたポーリング送信情報を送信するセレクティブポーリング送信を通信装置に実行させるためのプログラムを記憶したコンピュータ読取可能な記憶媒体において、
自動着信端末において自動着信時に、初期識別信号中でＳＥＰ信号の受信機能の有無を上記ポーリング受信機側に通知する通知ステップと；
ポーリング送信情報を格納するメモリに蓄積させる蓄積ステップと；
上記メモリ内にポーリング送信情報があるか否かを判断する判断ステップと；
上記判断ステップで、上記ポーリング受信機から受信したＳＥＰ信号によって指定されたポーリング送信情報が、上記メモリにないことが判断された場合、上記通知ステップで、ＳＥＰ信号の受信機能がないことを、上記ポーリング受信機に通知するように制御するステップと；
をコンピュータに実行させるプログラムを記憶したコンピュータ読取可能な記憶媒体。
【請求項１０】
ポーリング受信機よって指定されたポーリング送信情報を送信するセレクティブポーリング送信を通信装置に実行させるためのプログラムを記憶したコンピュータ読取可能な記憶媒体において、
自動着信端末において自動着信時に、初期識別信号中でＳＥＰ信号の受信機能の有無を上記ポーリング受信機側に通知する通知ステップと；
ポーリング送信情報を格納するメモリに蓄積させる蓄積ステップと；
上記メモリ内にポーリング送信情報があるか否かを判断する判断ステップと；
上記判断ステップで、ポーリング送信情報が上記メモリにないことが判断された場合、上記通知ステップで、ＳＥＰ信号の受信機能がないことを、上記ポーリング受信機に通知し、一方、上記判断ステップで、ポーリング送信情報が上記メモリに少なくとも１つあることが判断された場合、上記通知ステップで、ＳＥＰ信号の受信機能があることを、上記ポーリング受信機に通知するプログラムを記憶したコンピュータ読取可能なプログラムであって、
上記通知ステップで、ＳＥＰ信号の受信機能があることを上記ポーリング受信機に通知した後に、上記ポーリング受信機から受信したＳＥＰ信号によって指定されたポーリング送信情報がない場合には、ＳＥＰ信号の受信機能がないことを上記ポーリング受信機に再通知するように制御するプログラムを記憶したコンピュータ読取可能な記憶媒体。
【請求項１１】
請求項９または請求項１０において、
ＳＥＰ受信機能なしの初期識別信号を受信したポーリング受信端末において、その旨を表示するように制御するプログラムを記憶したコンピュータ読取可能な記憶媒体。
【請求項１２】
請求項９〜請求項１１のいずれか１項において、
上記メモリは、メモリボックスであり、
上記判断ステップは、上記受信したＳＥＰ信号と、上記メモリボックスに対応して予め登録されたＳＥＰ信号とを比較し、この比較結果に応じてＳＥＰ機能の有無を宣言するように制御するプログラムを記憶したコンピュータ読取可能な記憶媒体。
【手続補正２】
【補正対象書類名】明細書
【補正対象項目名】０００６
【補正方法】変更
【補正の内容】
【０００６】
【課題を解決するための手段】
請求項１記載の発明は、ポーリング受信機によって指定されたポーリング送信情報を送信するセレクティブポーリング送信可能な通信装置において、自動着信端末において自動着信時に、初期識別信号中でＳＥＰ信号の受信機能の有無を、上記ポーリング受信機側に通知する通知手段と、ポーリング送信情報を格納するメモリと、上記メモリ内にポーリング送信情報があるか否かを判断する判断手段と、を有し、上記ポーリング受信機から受信したＳＥＰ信号によって指定されたポーリング送信情報が、上記メモリにないことを、上記判断手段が判断した場合、ＳＥＰ信号の受信機能がないことを、上記ポーリング受信機に上記通知手段が通知することを特徴とする通信装置である。
【手続補正３】
【補正対象書類名】明細書
【補正対象項目名】０００７
【補正方法】変更
【補正の内容】
【０００７】
請求項２記載の発明は、ポーリング受信機によって指定されたポーリング送信情報を送信するセレクティブポーリング送信可能な通信装置において、自動着信端末において自動着信時に、初期識別信号中でＳＥＰ信号の受信機能の有無を、上記ポーリング受信機側に通知する通知手段と、ポーリング送信情報を格納するメモリと、上記メモリ内にポーリング送信情報があるか否かを判断する判断手段とを有し、ポーリング送信情報が上記メモリにないことを上記判断手段が判断した場合、通知するＳＥＰ信号の受信機能がないことを上記ポーリング受信機に、上記通知手段が通知し、一方、ポーリング送信情報が上記メモリに少なくとも１つあることを上記判断手段が判断した場合、上記通知手段によって通知するＳＥＰ信号の受信機能があることを上記ポーリング受信機に、上記通信手段が通知する通信装置であって、ＳＥＰ信号の受信機能があることを上記ポーリング受信機に、上記通知手段が通知した後に、上記ポーリング受信機から受信したＳＥＰ信号によって指定されたポーリング送信情報がない場合には、ＳＥＰ信号の受信機能がないことを、上記ポーリング受信機に再通知することを特徴とする通信装置である。
【手続補正４】
【補正対象書類名】明細書
【補正対象項目名】０００８
【補正方法】変更
【補正の内容】
【０００８】
請求項３記載の発明は、請求項1または請求項２において、ＳＥＰ受信機能なしの初期識別信号を受信したポーリング受信端末において、その旨を表示することを特徴とする通信装置である。
請求項４記載の発明は、請求項１〜請求項３のいずれか１項において、上記メモリは、メモリボックスであり、上記判断手段は、上記受信したＳＥＰ信号と、上記メモリボックスに対応して予め登録されたＳＥＰ信号とを比較し、この比較結果に応じて、ＳＥＰ機能の有無を宣言することを特徴とする通信装置である。
【手続補正５】
【補正対象書類名】明細書
【補正対象項目名】０００９
【補正方法】変更
【補正の内容】
【０００９】
請求項５記載の発明は、ポーリング受信機によって指定されたポーリング送信情報を送信するセレクティブポーリング送信可能な通信装置における制御方法において、自動着信端末において自動着信時に、初期識別信号中でＳＥＰ信号の受信機能の有無を上記ポーリング受信機側に通知する通知工程と、ポーリング送信情報を格納するメモリに蓄積させる蓄積工程と、上記メモリ内にポーリング送信情報があるか否かを判断する判断工程とを有し、上記ポーリング受信機から受信したＳＥＰ信号によって指定されたポーリング送信情報が上記メモリにないことを、上記判断工程で判断された場合、上記通信工程で、ＳＥＰ信号の受信機能がないことを、上記ポーリング受信機に通知することを特徴とする通信装置の制御方法である。
【手続補正６】
【補正対象書類名】明細書
【補正対象項目名】００１０
【補正方法】変更
【補正の内容】
【００１０】
請求項６記載の発明は、ポーリング受信機よって指定されたポーリング送信情報を送信するセレクティブポーリング送信可能な通信装置における制御方法において、自動着信端末において自動着信時に、初期識別信号中でＳＥＰ信号の受信機能の有無を上記ポーリング受信機側に通知する通知工程と、ポーリング送信情報を格納するメモリに蓄積させる蓄積工程と、上記メモリ内にポーリング送信情報があるか否か判断する判断工程とを有し、上記判断工程によってポーリング送信情報が上記メモリにない場合、上記通知工程で、ＳＥＰ信号の受信機能がないことを、上記ポーリング受信機に、通知し、一方、上記判断工程で、ポーリング送信情報が上記メモリに少なくとも１つあることが判断された場合、上記通知工程で、ＳＥＰ信号の受信機能があることを上記ポーリング受信機に通知する通信装置の制御方法であって、上記通知工程で、ＳＥＰ信号の受信機能があることを、上記ポーリング受信機に通知した後に、上記ポーリング受信機から受信したＳＥＰ信号によって指定されたポーリング送信情報がない場合には、ＳＥＰ信号の受信機能がないことを、上記ポーリング受信機に再通知することを特徴とする通信装置の制御方法である。
【手続補正７】
【補正対象書類名】明細書
【補正対象項目名】００１１
【補正方法】変更
【補正の内容】
【００１１】
請求項７記載の発明は、請求項５または６において、ＳＥＰ受信機能なしの初期識別信号を受信したポーリング受信端末において、その旨を表示することを特徴とする通信装置の制御方法である。
請求項８記載の発明は、請求項５〜請求項７のいずれか１項において、上記メモリはメモリボックスであり、上記判断工程は、上記受信したＳＥＰ信号と、上記メモリボックスに対応して予め登録されたＳＥＰ信号とを比較し、この比較結果に応じてＳＥＰ機能の有無を宣言することを特徴とする通信装置の制御方法である。
【手続補正８】
【補正対象書類名】明細書
【補正対象項目名】００１２
【補正方法】変更
【補正の内容】
【００１２】
請求項９記載の発明は、ポーリング受信機よって指定されたポーリング送信情報を送信するセレクティブポーリング送信を通信装置に実行させるためのプログラムを記憶したコンピュータ読取可能な記憶媒体において、自動着信端末において自動着信時に、初期識別信号中でＳＥＰ信号の受信機能の有無を上記ポーリング受信機側に通知する通知ステップと、ポーリング送信情報を格納するメモリに蓄積させる蓄積ステップと、上記メモリ内にポーリング送信情報があるか否かを判断する判断ステップと、上記判断ステップで、上記ポーリング受信機から受信したＳＥＰ信号によって指定されたポーリング送信情報が、上記メモリにないことが判断された場合、上記通知ステップで、ＳＥＰ信号の受信機能がないことを、上記ポーリング受信機に通知するように制御するステップとをコンピュータに実行させるプログラムを記憶したコンピュータ読取可能な記憶媒体である。
【手続補正９】
【補正対象書類名】明細書
【補正対象項目名】００１３
【補正方法】変更
【補正の内容】
【００１３】
請求項１０記載の発明は、ポーリング受信機よって指定されたポーリング送信情報を送信するセレクティブポーリング送信を通信装置に実行させるためのプログラムを記憶したコンピュータ読取可能な記憶媒体において、自動着信端末において自動着信時に、初期識別信号中でＳＥＰ信号の受信機能の有無を上記ポーリング受信機側に通知する通知ステップと、ポーリング送信情報を格納するメモリに蓄積させる蓄積ステップと、上記メモリ内にポーリング送信情報があるか否かを判断する判断ステップと、上記判断ステップで、ポーリング送信情報が上記メモリにないことが判断された場合、上記通知ステップで、ＳＥＰ信号の受信機能がないことを、上記ポーリング受信機に通知し、一方、上記判断ステップで、ポーリング送信情報が上記メモリに少なくとも１つあることが判断された場合、上記通知ステップで、ＳＥＰ信号の受信機能があることを、上記ポーリング受信機に通知するプログラムを記憶したコンピュータ読取可能なプログラムであって、上記通知ステップで、ＳＥＰ信号の受信機能があることを上記ポーリング受信機に通知した後に、上記ポーリング受信機から受信したＳＥＰ信号によって指定されたポーリング送信情報がない場合には、ＳＥＰ信号の受信機能がないことを上記ポーリング受信機に再通知するように制御するプログラムを記憶したコンピュータ読取可能な記憶媒体である。
【手続補正１０】
【補正対象書類名】明細書
【補正対象項目名】００１４
【補正方法】変更
【補正の内容】
【００１４】
請求項１１記載の発明は、請求項９または請求項１０において、ＳＥＰ受信機能なしの初期識別信号を受信したポーリング受信端末において、その旨を表示するように制御するプログラムを記憶したコンピュータ読取可能な記憶媒体である。
請求項１２記載の発明は、請求項９〜請求項１１のいずれか１項において、上記メモリは、メモリボックスであり、上記判断ステップは、上記受信したＳＥＰ信号と、上記メモリボックスに対応して予め登録されたＳＥＰ信号とを比較し、この比較結果に応じてＳＥＰ機能の有無を宣言するように制御するプログラムを記憶したコンピュータ読取可能な記憶媒体である。
【手続補正１１】
【補正対象書類名】明細書
【補正対象項目名】００１５
【補正方法】変更
【補正の内容】
【００１５】
請求項１〜１２記載の発明では、ポーリング受信する側の通信装置は、着信側の通信装置のメモリにおいて、ＳＥＰ信号によりポーリング受信する側の通信装置から指定されたポーリング送信情報がないことを認識でき、ポーリング受信する側の通信装置に適正な対応をとらせることが可能となる。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
請求項３、７、１１記載の発明では、ポーリング受信する側の通信装置のオペレータが指定したポーリング送信情報が着信側の通信装置にないことを認識でき、オペレータに適正な対応をとらせることが可能となる。


【手続補正１４】
【補正対象書類名】明細書
【補正対象項目名】００３７
【補正方法】変更
【補正の内容】
【００３７】
Ｓ１０では、信号線３２ａの情報を入力し、登録回路２８への登録が選択されたか否かを判断し、選択されるとＳ１２に進み、信号線２８ａを介してメモリボックスに対応してＳＥＰアドレスを登録回路２８に登録し、Ｓ１４に進む。また、選択されていないと、そのままＳ１４に進む。


【手続補正１５】
【補正対象書類名】明細書
【補正対象項目名】００６１
【補正方法】変更
【補正の内容】
【００６１】
【発明の効果】
請求項１〜請求項１２記載の発明によれば、ポーリング受信する側の通信装置は、着信側の通信装置のメモリにおいて、ＳＥＰ信号によりポーリング受信する側の通信装置から指定されたポーリング送信情報がないことを認識でき、ポーリング受信する側の通信装置に適正な対応をとらせることが可能となる。


【手続補正１６】
【補正対象書類名】明細書
【補正対象項目名】００６２
【補正方法】削除
【補正の内容】
【手続補正１７】
【補正対象書類名】明細書
【補正対象項目名】００６３
【補正方法】変更
【補正の内容】
【００６３】
請求項３、７、１１記載の発明によれば、ポーリング受信する側の通信装置のオペレータが指定したポーリング送信情報が着信側の通信装置にないことを認識でき、オペレータに適正な対応をとらせることが可能となる。